(57)【特許請求の範囲】
【請求項１】
筐体（１８）の中に入れられたフィルタ要素（３４）と、当該筐体を支持ブラケットに取り付けることが可能な取り付け構造とを備え、前記筐体（１８）が入り口ポート（３０）と出口ポート（３２）を含むことで流体を前記筐体内におよびそこから外に誘導するフィルタ（１２）であって、
前記取り付け構造は、
ｉ）前記筐体（１８）の両側にその一端（２２）に向けて配置された外向きに突出する一対の枢軸（４０）であって、各枢軸が半径方向に延びるベース（４１）と拡大されたヘッド（４２）とを含む、一対の枢軸（４０）と、
ｉｉ）やはり前記筐体の両側にその他端（２０）に向けて配置された一対の可撓性の保持クリップ（５８）であって、各保持クリップが可撓性の本体部分と当該可撓性の本体部分の遠位端に一体式のタブ部分とを含む、可撓性の保持クリップ（５８）とを備え、
各保持クリップ（５８）が、前記筐体の軸方向から見て各々の枢軸（４０）と当該筐体の外周の同一位置に整列され、前記枢軸（４０）と協働して前記筐体（１８）を支持ブラケット（１４）に取り付けることができるフィルタ（１２）。
【請求項２】
前記拡大されたヘッド（４２）がリップを画定する下側が先細になった面（４８）を含む、請求項１に記載のフィルタ（１２）。
【請求項３】
前記ベース（４１）が、立ち上がりを形成し、かつ前記筐体（１８）から外向きに突出し前記拡大されたヘッド（４２）の外面（４６）に対して同一面内にある延長部（５０）を含む、請求項２に記載のフィルタ（１２）。
【請求項４】
各枢軸（４０）が、前記筐体（１８）の軸方向の範囲に対して直交する方向に延在する位置決め隆起部（５４）を含む、請求項１に記載のフィルタ（１２）。
【請求項５】
前記可撓性の本体部分（６０）は、軸方向に延在し、
前記一体式のタブ部分（６６）は、前記本体部分に直交して突出する請求項１に記載のフィルタ（１２）。
【請求項６】
各タブ部分（６６）がさらに、前記タブ部分の面から外向きに延出する突起（６８）を含む、請求項５に記載のフィルタ（１２）。
【請求項７】
各保持クリップ（５８）が、前記筐体の一端（２２）に向けて接続されたベース端部（６２）から、前記筐体の他端（２０）に向かう自由なヘッド端部（６４）まで延在しており、
前記タブ部分（６６）が前記保持クリップ（５８）の前記ヘッド端部（６４）のところに配置される、請求項５または６のいずれかに記載のフィルタ（１２）。
【請求項８】
各保持クリップ（５８）から軸方向に離間して配置され外向きに突出した立ち上がり（７２）であって、支持ブラケット（１４）の側壁（１６）によって前記各保持クリップ（５８）が前記筐体（１８）に当たって内側に屈曲されるのを防ぐように寸法が決められた立ち上がり（７２）をさらに含む、請求項７に記載のフィルタ（１２）。
【請求項９】
前記立ち上がり（７２）が、前記保持クリップの前記ヘッド端部（６４）から前記筐体の他端（２０）に向かって軸方向に離間される、請求項８に記載のフィルタ（１２）。
【請求項１０】
請求項１乃至９のいずれかに記載されるフィルタ（１２）と、支持ブラケット（１４）とを備えるフィルタ組立体（１０）であって、
前記支持ブラケット（１４）が、縦長の本体（７９）と、前記フィルタ（１２）をその間に緊密に収容することができるように離間した関係で前記本体（７９）から外向きに突出する一対の側壁（１６）とを含み、
前記側壁（１６）がそれぞれ、
ｉ）前記フィルタ（１２）にある各々の枢軸（４０）を収容し、前記支持ブラケット（１４）の長手方向に対して一定の角度の向きから、前記フィルタが前記支持ブラケット（１４）とほぼ平行に整列される向きまで前記フィルタ（１２）を枢動させることができるように寸法が決められたフック型のスロット（８４）と、
ｉｉ）前記フィルタ（１２）が前記支持ブラケット（１４）とほぼ整列したとき、各々の保持クリップ（５８）と係合しこれを保持するように寸法が決められた受け具（９０）とを含むフィルタ組立体（１０）。
【請求項１１】
各枢軸がベース（４１）と、拡大されたヘッド（４２）とを含み、
前記拡大されたヘッド（４２）がリップを画定する下側が先細になった面（４８）を含み、
前記フック型のスロット（８４）が対応する先細になった面（８７）を含み、
前記拡大されたヘッド（４２）の前記先細になった面（４８）が、前記スロット（８４）の先細になった面（８７）に当たって枢動するように寸法が決められる、請求項１０に記載のフィルタ組立体（１０）。
【請求項１２】
各ベース（４１）が、外面が前記拡大されたヘッド（４２）の外面（４６）に相互接続されこの面と同一面になる延長部（５０）を含み、
前記延長部（５０）が、前記支持ブラケット（１４）の前記側壁（１６）の間に緊密に収容されるように寸法が決められる、請求項１０または１１のいずれかに記載のフィルタ組立体（１０）。
【請求項１３】
各枢軸（４０）が、前記ベース（４１）から円周方向に延在する位置決め隆起部（５５）を含んでおり、
前記位置決め隆起部（５５）が、前記フィルタ（１２）が前記支持ブラケット（１４）と整列される際、前記筐体（１８）を前記側壁（１６）の間に誘導するように寸法が決められる、請求項１０から１２のいずれかに記載のフィルタ組立体（１０）。
【請求項１４】
各保持クリップ（５８）が、軸方向に延在する可撓性の本体部分（６０）と、前記本体部分（６０）に直交して突出する一体式のタブ部分（６６）とを含んでおり、
各タブ部分（６６）が、このタブ部分（６６）の面から半径方向外向きに延出する突起（６８）を含み、
各タブ部分（６６）の前記突起（６８）が、前記フィルタ（１２）が前記支持ブラケット（１４）とほぼ整列される際、前記受け具（９０）と協働して前記フィルタ（１２）を前記支持ブラケットにロック固定するように構成される、請求項１０から１３のいずれかに記載のフィルタ組立体（１０）。
【請求項１５】
各保持クリップ（５８）から軸方向に離間して配置され半径方向外向きに突出した立ち上がり（７２）であって、前記フィルタ（１２）が前記支持ブラケット（１４）にロック固定される際、前記支持ブラケット（１４）の前記側壁（１６）によって前記各保持クリップ（５８）が前記筐体（１８）に当たって内側に屈曲されるのを防ぐように寸法が決められた立ち上がり（７２）をさらに含む、請求項１４に記載のフィルタ組立体（１０）。
【発明の詳細な説明】
【技術分野】
【０００１】
[0001]本発明は一般に、流体フィルタ、ならびにこのようなフィルタをブラケットまたは他の支持装置に設置するための取り付け具および技術に関する。
【背景技術】
【０００２】
[0002]特定の流体フィルタがブラケット（または他の支持装置）上に支持され、迅速な解放機構を有することで、フィルタをこのようなブラケットから迅速かつ容易に取り外すことが可能になる。例えば車両では、エンジンルームまたは車両上の他の適切な支持位置にエンジンに対するブラケットを有し、このブラケットにフィルタを設置し、かつ例えば修理のためまたは使用済みの要素を交換するために離れた場所からフィルタに接近することが望ましい場合にフィルタを取り外すための迅速に装着する手段を有することが恐らく望ましい。
【０００３】
[0003]このような用途のためのこの種の取り付け具（または接続機構）は、頑強で安全であるべきであり、使用中フィルタがブラケットから不用意に外れないようにしなければならない。しかしながら所望される場合には、フィルタをブラケットに取り付けたり外したりするのが比較的容易でなければならない。当然のことながら一般に接続機構はまた、相対的に軽量でコンパクトであり、組み立てが簡単であり、製造するのに費用効果が高くなければならない。
【０００４】
[0004]ブラケットのスロットの中へと摺動するフィルタの背面にＴ字型のスロットを設けることが知られている。フィルタは基本的に取り付けるにはスロットに対してちょうど軸方向に下向きに摺動され、取り外す際にはブラケットから離れるように軸方向に上向きに摺動される。これは、このような移動を達成するために軸方向に十分な空間がある場合、およびホースがこれを可能にするのに十分な長さであるまたは適切な位置にある、あるいはこのように軸方向に移動する前にこの要素から取り外すことができる場合には適切であるにちがいない。スロットと開口を備えたブラケットと、フィルタの背面にピンとばねクリップを含む装着部を設けることが知られており、フィルタがブラケットに対して軸方向に摺動する際にこの装着部がスロットおよび開口と係合する。フィルタがいったん設置されると、ばねクリップがブラケットに係合し、クリップが押し下げられるまでフィルタをブラケット上に保持し、その後、フィルタを軸方向に摺動させてブラケットから離すことができる。この技法もやはり軸方向に十分な空間を必要とし、フィルタの背面にあるばねクリップに接近する必要があり、かつホースに関しても上記に記載したのと同様の問題がある。
【発明の概要】
【発明が解決しようとする課題】
【０００５】
[0005]上記に記載した取り付け技法および接続機構は市場でも多少は受け入れられているが、この業界ではこのような軸方向の移動を必要としない、すなわちフィルタをブラケットから取り外すことができるようにするのにフィルタの軸方向の長さのほぼ全体にわたってこれを上下方向に摺動させなければならないような移動を必要としない、接続機構に対する要望があると考えられる。上述のような移動は、フィルタの上にかなりの自由空間を必要とし、装着されたホースならびにヒータ接続装置および水センサ接続装置などの他の構成要素を破壊する恐れがある。
【課題を解決するための手段】
【０００６】
[0006]本発明は、フィルタと、このようなフィルタをブラケットまたは他の支持装置に対して接続する機構を提供し、この接続機構は、取り付けおよび取り外しの際にフィルタをブラケットに対して軸方向に完全に移動させる必要がなく、主にこの部品を枢動させてブラケットから離すことによってフィルタを取り外すことができる。このような接続機構とその技法は、フィルタ上に自由空間を余り必要とせず、フィルタの後部に接近する必要がなく、装着された任意のホースおよび他の構成要素を破壊することも少ない。
【０００７】
[0007]本発明によると、フィルタは、キャニスタの中に入れられたろ過媒体であるリングと、キャニスタの開放した上方端部に固定された端部キャップとを含む。端部キャップには入り口ポートと出口ポートが設けられ、流体がキャニスタ内に流れ込むまたはそこから外に流れ出るように誘導する。さらにフィルタが取り付け構造を含むことで、ブラケットまたは他の支持面にフィルタを装着することが可能になる。取り付け構造は、一対の半径方向外向きに突出する枢軸を含んでおり、これはキャニスタの両側にその下方端部に向けて配置されている。枢軸はそれぞれ、ベースと拡大されたヘッドとを備えており、ヘッドは、１つのリップを画定する下側が先細になった面を含んでいる。このベースによって立ち上がった部分が形成され、この立ち上がりは、ブラケットの側壁の中に緊密に収容されるように寸法が決められている。
【０００８】
[0008]取り付け構造はさらに一対の保持クリップを含んでおり、やはりキャニスタの両側に配置されているが、今度はその上方端部に向いている。各クリップは、筐体の側部に沿って各々の枢軸とほぼ軸方向に整列されており、半径方向に可撓性である軸方向の本体部分と、保持クリップの自由端のところにある一体式のタブ部分とを有する。また保持クリップのタブの端部に隣接して外向きに突出する立ち上がりが設けられ、クリップの立ち上がりは、ブラケットのアームの中に緊密に収容されるように寸法が決められており、クリップのタブ端部がキャニスタの側部に押しつけられるのを防ぐ、あるいは換言すると本明細書で十分に記載されるように、フィルタをブラケットから取り外すことが望まれる場合、タブを内側に押しつけることができるようにクリップのタブ端部とキャニスタの間に若干の自由空間が与えられる。
【０００９】
[0009]このフィルタ用のブラケットは、本体と、一対の側壁とを含んでおり、側壁はフィルタをその間に緊密に収容することができるように離間した関係で本体から外向きに突出している。各側壁は、ｉ）フィルタ上の各々の枢軸を収容し、ブラケットの長手軸に対して一定の角度の向きから、フィルタがブラケットとほぼ軸方向に整列されこれにもたれて支持される向きまでフィルタを枢動させることができるように寸法が決められたフック型のスロットと、ｉｉ）フィルタがブラケットと整列されたとき、各々の保持クリップと係合しこれを保持するように寸法が決められた受け具とを含む。各枢軸のヘッドにある内側に先細になったリップ面によって、フック型のスロット内で枢軸の位置を決めるのが容易になり、これによりフィルタをブラケットに対して位置決めするのが容易になる。枢軸のベースに立ち上がりがあることによってフィルタをブラケットに合わせて配置し易くなり、安全かつ頑強な接続が保証される。
【００１０】
[0010]各クリップにあるタブは半径方向の突起を含むことができ、この突起が、ブラケット内の小さなスロットまたは穴の中に収容され、フィルタがブラケットにロック固定される。タブをキャニスタに向けて内側に押すことによって、この突起をその各々のスロットから解放させ、フィルタの上方端部を枢動させてブラケットから離すことが可能になる。その後、フィルタをわずかに上方向かつ外向きに持ち上げてブラケットから離すことができ、枢軸がその各々のフック型スロットから取り外され、フィルタを検査、修理および／または交換することができる。
【図面の簡単な説明】
【００１１】
【図１】[0011]本発明によるフィルタ組立体の立面斜視図である。
【図２】[0012]図１の組立体用のフィルタの立面斜視図である。
【図３】[0013]図２のフィルタの側部断面図である。
【図４】[0014]図２に示されるフィルタの一部の拡大図である。
【図５】[0015]図１の組立体用のブラケットの立面斜視図である。
【図６】[0016]フィルタが部分的にブラケットと組み立てられた、図１のフィルタ組立体の立面斜視図である。
【発明を実施するための形態】
【００１２】
[0017]図面および図１を最初に参照すると、本発明によるフィルタ組立体が全体的に１０で示されている。フィルタ組立体１０は、フィルタ１２と、側壁１６を備えた支持ブラケット１４とを含む。フィルタ１２とブラケット１４には、以下に記載するように迅速な取り付け機構がある。
【００１３】
[0018]次に図２から４を参照すると、フィルタ１２は、開放した上方端部２０と、閉鎖した下方端部２２を備えた外側のカップ形状のキャニスタ、すなわち筐体１８を含む。筐体の下方端部にあるねじ山付きの開口２４の中に配水管２３（図３）を配置してフィルタから定期的に水を除去することができる。キャニスタは概ね円筒形の形状であるが他の形状であってもよく、例えばプラスチックまたは金属などの特定の用途に適した材料から形成することができる。
【００１４】
[0019]端部キャップすなわち蓋２８が、例えば接着剤、溶接または他の接合手段によってキャニスタの上方端部に装着される。端部キャップ２８は、内側開口３１を備えろ過すべき流体をキャニスタ内に誘導する入り口ポートまたは管３０と、内側開口３３を備えろ過された流体をキャニスタから外に誘導する出口ポートまたは管３２とを含む。キャニスタの中央にフィルタ要素３４が配置され、これは中央の空洞３５を取り囲むリング形状の形態である。要素３４は、媒体リングの下方端部に密閉式に接合された下方円形端部キャップ３６を含んでおり、この要素の上方端部は、端部キャップ２８に密閉式に直接接合されている。フィルタ要素３４は、特定の構造（例えばひだのある、繊維質などの）を有しており、特定の用途に適した材料（例えばセルロース、ポリマー）から作製することが可能であり、さらにそのように所望される場合、リング形状以外の他の幾何学形状であってもよい。要素が消費されたときにそれをキャニスタから取り外すことができない、あるいは換言するとその要素が消費されたときキャニスタ全体を廃棄しなければならないような要素が示され記載されているが、キャニスタが取り外し可能な上方端部キャップを有することも可能であり、このキャップによって筐体の中の要素に接近してそれを交換することができることも予想される。要素の取り外しを可能にするこのような構造（例えばねじ山）は、当業者にはよく知られているはずである。
【００１５】
[0020]いずれにしても入り口ポート３０に進入した流体は、要素と筐体の内面の間にある外縁部の環状領域３８へと流れ込み、流体はそこで要素を通過して半径方向内向きに流れ、そこで粒状物質および他の汚染物質が除去されて中央の空洞３５へと流れ込む。要素が疎水性である場合、この要素の外面にある水の集合体が塊となり、筐体の下部へと下方に滴り落ちる場合があるが、その場合は排水管の開口２４からそれを除去することができる。
【００１６】
[0021]その後、流体は、軸方向に上下方向に流れて出口ポート３２を通って流体システムへと戻る。要素を通過する流れが反対方向であり、すなわち入り口ポートが３２で出口ポートが３０であり、この媒体を通過して半径方向外向きに進むことも可能であることも予想される。その代わりに入り口および出口ポートを、フィルタのキャニスタの他の領域、例えば側面または底部領域に形成することが可能であることも理解されたい。
【００１７】
[0022]上記に示したように、フィルタ１２は、フィルタを迅速かつ容易にブラケット１４に取り付け、そこから迅速かつ容易に取り外すことを可能にする構造を含んでいる。このために、一対の半径方向外向きに突出する同一の剛性の枢軸（全体的に４０で示される）が、キャニスタの外面のその両側に、キャニスタの中間点と下方端部の間に設けられる。枢軸４０はそれぞれ、軸方向に延出する短いベース４１と、ベースの下方端部に向かって半径方向外向きに突出する拡大された円形のヘッド４２とを備える。ヘッド４２は、平坦な外面４６と、内向きに先細になったまたは角度が付けられた下部面４８とを含んでおり、この下部面がヘッドの周りにリップを形成し、ヘッド４２をベース４１に相互接続する。枢軸４０はそれぞれ、ヘッド４２に相互接続され、面４２と同一面上（共面）にある面延長部５０を有しており、すなわち面延長部５０の外径は、ヘッド４２と同一である。面延長部５０の側部は、５１のところで先細にされるまたは角度が付けられ、各面延長部は、ヘッド４２からキャニスタの開放端部に向かってキャニスタの側面に沿って軸方向の短い距離に延在する。以下に説明するように、フィルタがブラケットに設置される際、ベース４１の面延長部５０がブラケット１４の側壁１６に対する立ち上がりを形成する。
【００１８】
[0023]一連の角度が付けられたまたは先細になった隆起部が（５４として示される）、軸方向に離間した関係で円周方向に延在して、すなわちキャニスタの軸方向の範囲に直交してベース４１の片側に設けられ、ブラケット１４内にフィルタを位置決めするのを助ける。隆起部５４は、フィルタがブラケットに設置される際、この隆起部がブラケットの側壁の内面と係合しフィルタを側壁の間に誘導することができるような外径を有する。隆起部の１つである５５が半径方向により大きく突出しており、換言するとそれは他の隆起部よりさらに半径方向外向きに突出しており、以下でさらに詳細に考察するようにブラケット内でフィルタを位置決めしこれを支える隆起部として機能する。
【００１９】
[0024]ベース４１、ヘッド４２および隆起部５４は全て、キャニスタを形成する際にこれと一体式に形成することができ、あるいは１つまたは複数の別個の部品で形成され、接着剤または他の接合技術などによって互いにおよび／またはキャニスタに装着されてもよい。
【００２０】
[0025]取り付け構造は、一対の可撓性の保持クリップ（５８として示される）をさらに含んでおり、やはりキャニスタの外面上に、その中間点とその上方端部の間でその両側に設けられている。クリップ５８はそれぞれ、各々の枢軸４０と軸方向に概ね整列されており、そこから軸方向に離間させることができる。各保持クリップは、軸方向に延在する可撓性の薄い本体部分６０を含んでおり、これはキャニスタの外面に対して概ね平行であり，ベース端部６２のところでキャニスタに接続され、キャニスタから半径方向外向きに離間した自由なヘッド端部６４まで軸方向に延在する。クリップの自由端６４は、クリップを手で適切に操作することによりキャニスタに向けて柔軟に折り曲げることが可能である。この操作を容易にするために平坦な外面を有する解放タブ６６がクリップのヘッド端部に設けられ、これは本体部分６０の範囲に対して概ね直交して突出している。
【００２１】
[0026]各々のタブ６６のほぼ中心に半径方向の突起６８が設けられており、これはクリップの軸に沿って概ね短い距離に延在している。半径方向の突起６８によって保持リングをブラケットの各々の側壁に対してロック固定し、これにより以下に記載するようにフィルタをブラケットに対して保持することができる。
【００２２】
[0027]最後に各タブ６６に対して軸方向に離間した関係でタブとキャニスタの上方端部の間に半径方向の立ち上がり７２が設けられ、これはタブ６６と同じ半径方向の距離（突起の分を引いた）だけ半径方向外向きに突出している。以下に記載するように立ち上がり７２があることによって、ブラケット１４の側壁１６がクリップ６０をキャニスタの面に対して完璧に屈曲しないようにする、すなわちフィルタがブラケットに設置されてからも、クリップの自由端がキャニスタの外面から幾分離間した状態に保たれることで、やはり以下により完璧に記載されるように、フィルタをブラケットとのそのロック位置から解放させることを望む場合にクリップを操作することが可能になる。
【００２３】
[0028]クリップ５８、タブ６６および立ち上がり７２もまたキャニスタを形成する際にこれと一体式に形成することができ、あるいは１つまたは複数の別個の部品で形成され、それらを接着剤または他の接合技術などによって互いにおよび／またはキャニスタに装着されてもよい。
【００２４】
[0029]ここで図５を参照するとブラケット１４は、開口部８０、あるいはブラケットを例えばエンジンブロックまたはエンジンルームなどの適切な支持面に装着するための他の手段を備えた平坦な本体７９を含む。ブラケットの側壁１６は、本体７９の両側に沿って互いからそれぞれ離間されており、互いに対して概ね平行にかつ本体７９に直交して伸びている。側壁１６の間隔は、フィルタのキャニスタがそれらの間に概ね緊密に収容されるようなものである。側壁１６はそれぞれ８４として示されるフック型のスロットを含んでおり、それらは側壁の側縁部に沿ってその下方端部へと向かい、概ねブラケットの上方端部に向かって開放している。側壁はそれぞれのスロットの下方縁部の周囲で先細になったまたは丸みが付けられた面８６と、それぞれのスロットの上方縁部の周囲で先細になったまたは丸みが付けられた面８７とを有し、この開口は、ヘッド４２（図４）の下の領域で枢軸のベース４１を収容するように寸法が決められている。
【００２５】
[0030]開口８４から軸方向上向きに細いスロット８８が設けられており、これは本体７９に向かって内向きに、すなわち本体の長手軸に対して水平方向に側壁の側縁部から延出している。スロット８８があることによって、フィルタがブラケットに設置される際、側壁が屈曲して緊密にフィルタを収容することができるように側壁に若干の可撓性が与えられる。フィルタがブラケットと組み立てられるその位置へと枢動され、隆起部５４、詳細には位置決め用の隆起部５５が側壁の間に収容されたときに側壁が概ね合致する。
【００２６】
[0031]次にスロット８８から軸方向上向きにこの側壁上でブラケットの側壁の上方端部に向かって軸方向スロット９０または隆起部などの他の適切な幾何学形状が設けられ、スロット９０は、クリップのタブにある突起６８（図４）を収容するように寸法が決められている。スロット９０または他の幾何学形状によって、以下に記載するように、フィルタがブラケットに設置される際にフィルタの上方端部をブラケットに対して保持する受け具が形成される。
【００２７】
[0032]最後に各側壁は丸みが付けられて切り取られた肩部分９２を含んでおり、この部分は、フィルタがフィルタヘッドに設置される際、上方端部キャップの入り口および出口ポート３０、３１（図１）を受けるように概ね寸法と位置が決められている。
【００２８】
[0033]図６に示されるようにフィルタをブラケットに接続する際、最初にフィルタをブラケットに挿入することで、枢軸４０がそれぞれ対応するスロット８４内に収容される。スロット８４が枢軸のベースを収容し、フィルタがブラケットに設置されている間、すなわちフィルタがブラケットの本体に対して軸方向に整列され、これとほぼ同一面になったとき、フィルタをこの支持部を中心として枢動させることができる。各々のヘッド４２の先細になった内側のリップ面と、対応するスロット８４の先細になったまたは丸みが付けられた下部面によって、枢軸をスロットに合わせて位置決めするのが容易になる。フィルタが枢動される際、各枢軸のベースにある延長された位置決め隆起部５５によってフィルタが側壁１６の間に誘導される。その後、ヘッド４２がスロット８４の下部にある丸みが付けられた縁部８６によって緊密に収容されこれに支持される（事実上側壁を内側に引っ張りながら）のと同調して、ベースの突起５０の先細になった側部５１が、スロット８４の丸みが付けられた上部面８７に当たって（事実上側壁を外向きに押しながら）内側に進むとき、この突起が側壁の内面と係合し、フィルタがブラケットに完全に設置される際（例えば図１に示されるように）、フィルタの下方端部がこれによりブラケットに接してしっかりと保持される。
【００２９】
[0034]フィルタがブラケットと位置合わせされる際、フィルタ上の保持クリップ５８が側壁の間に収容され、突起６８が側壁と係合しこの突起が側壁内にある対応するスロット９０内に進むまでクリップをわずかに内側に押しやる。タブ６６は外から接触できる状態を維持しており、ブラケットの側壁から外向きに突出している。クリップに隣接する立ち上がり７２によってフィルタの上方端部が側壁の間で適切に中心にくるように維持され、側壁が各クリップをキャニスタに対して平らになるように屈曲させるのを阻止する。突起６８がひとたびその各々のスロット９０に入ると、クリップが外向きに撓み、フィルタがブラケットに対してその水平の設置方向でロック固定される。フィルタをブラケットの本体にもたれさせて支持することも可能であるが、位置決め隆起部５５を含む枢軸４０と、保持クリップ５８とを備えた接続機構が、フィルタが本体にもたれて支持されているかどうかに関わらずフィルタをブラケットに対してしっかりと保持するため、フィルタをブラケットの本体から外向きに短い距離のところで保持することも可能である。その後、フィルタの入り口ポート３１と出口ポート３２にホースを接続して、フィルタを流体システム内に流体接続することができる。
【００３０】
[0035]フィルタを流体システムから取り外すには、ホースを取り外して、クリップのタブ６６に接近してそれを内側に押し下げて突起６８をスロット９０との係合状態から外すように移動させることができ、タブ６６はフィルタを図６の位置に枢動できるようにし、この位置においてフィルタをブラケットから上方向および外向きに持ち上げることができる。フィルタが、ブラケットまたは隣接する支持面に底をつけたキャニスタの端部に妨害されずに十分に枢動することができるように、枢軸４０はフィルタのキャニスタ上で概ね位置が決められる。さらに保持クリップの立ち上がり７２がクリップをキャニスタから一定の距離のところに維持することで、それらを後で押し下げることによってフィルタをブラケットから取り外すことができる。
【００３１】
[0036]独立型のブラケットに設置され、ブラケットがその後、エンジンブロックまたはエンジンルームなどの適切な場所に設置されるフィルタを上記に記載してきたが、このようなブラケットをエンジンまたはエンジンルームあるいは他の支持面と一体式の部品として組み込むことも可能であることを理解すべきである。このような場合ブラケットの本体は、エンジン、エンジンルームまたは他の支持面の一部であってよい。加えて上記の取り付け構造を、リップ４８を備えた拡大されたヘッド４２および延長部５０、隆起部５４および位置決め隆起部５５を含む枢軸４０と、タブ６６と突起６８を含む保持クリップ５８を組み合わせたものを含むように記載してきたが、枢軸および／または保持クリップにある１つまたは複数のこれらの構成要素がフィルタの片側または両側にない場合もあり、それでもなおフィルタ１２をブラケット１４に設置することは可能であることを理解されたい。
【００３２】
[0037]本発明の原理、好ましい実施形態および作動モードを上記の明細書の中で記載してきた。本発明は本明細書で保護されることを目的としているが、それは限定ではなく例示とみなされるべきであるため記載される特定の形態に限定されるものと解釈すべきではない。当業者であれば添付の特許請求の範囲に記載される本発明の範囲および精神から逸脱することなく変形および変更を行なうことが可能である。
〔態様１〕
筐体（１８）の中に入れられたフィルタ要素（３４）を備え、前記筐体（１８）が入り口ポート（３０）と出口ポート（３２）を含むことで流体を前記筐体内におよびそこから外に誘導するフィルタ（１２）であって、ｉ）前記筐体（１８）の両側にその一端（２２）に向けて配置された外向きに突出する一対の枢軸（４０）と、ｉｉ）やはり前記筐体の両側にその他端（２０）に向けて配置された一対の可撓性の保持クリップ（５８）とを備え、各クリップ（５８）が、前記筐体の長さに沿って各々の枢軸（４０）とほぼ軸方向に整列され、前記枢軸（４０）と協働して前記筐体（１８）をブラケット（１４）に取り付けることができるフィルタ（１２）。
〔態様２〕
各枢軸（４０）が、ベース（４１）と、拡大されたヘッド（４２）とを含み、前記ヘッド（４２）がリップを画定する下側が先細になった面（４８）を含む、態様１に記載のフィルタ（１２）。
〔態様３〕
前記ベース（４１）が、立ち上がりを形成し、かつ前記筐体（１８）から外向きに突出し前記ヘッド（４２）の外面（４６）に対して同一面内にある延長部（５０）を含む、態様２に記載のフィルタ（１２）。
〔態様４〕
各枢軸（４０）が、前記筐体（１８）の軸方向の範囲に対して直交する方向に延在する位置決め隆起部（５４）を含む、態様１に記載のフィルタ（１２）。
〔態様５〕
各保持クリップ（５８）が、軸方向に延在する可撓性の本体部分（６０）と、前記本体部分（６０）に直交して突出する一体式のタブ部分（６６）とを含む、態様１に記載のフィルタ（１２）。
〔態様６〕
各タブ部分（６６）がさらに、前記タブ部分の面から外向きに延出する突起（６８）を含む、態様５に記載のフィルタ（１２）。
〔態様７〕
各保持クリップ（５８）が、前記筐体の一端（２２）に向けて接続されたベース端部（６２）から、前記筐体の他端（２０）に向かう自由なヘッド（６４）端部まで延在しており、前記タブ部分（６６）が前記保持クリップ（５８）の前記ヘッド端部（６４）のところに配置される、態様５または６のいずれかに記載のフィルタ（１２）。
〔態様８〕
各保持クリップ（５８）から軸方向に離間した外向きに突出し、前記各々の保持クリップ（５８）がブラケット（１４）の壁（１６）によって前記筐体（１８）に当たって内側に屈曲されるのを防ぐように寸法が決められた立ち上がり（７２）をさらに含む、態様７に記載のフィルタ（１２）。
〔態様９〕
前記立ち上がり（７２）が、前記保持クリップの前記ヘッド端部（６４）から前記筐体の他端に向かって軸方向に離間される、態様８に記載のフィルタ（１２）。
〔態様１０〕
前記態様１乃至９のいずれかに記載されるフィルタ（１２）と、支持ブラケット（１４）とを備えるフィルタ組立体（１０）であって、前記支持ブラケット（１４）が、長手方向の本体部分（７９）と、前記フィルタ（１２）をその間に緊密に収容することができるように離間した関係で前記本体（７９）から外向きに突出する一対の側壁（１６）とを含み、前記側壁（１６）がそれぞれ、ｉ）前記フィルタ（１２）にある各々の枢軸（４０）を収容し、前記ブラケット（１４）の長手軸に対して一定の角度の向きから、前記フィルタが前記ブラケット（１４）とほぼ軸方向に整列される向きまで前記フィルタ（１２）を枢動させることができるように寸法が決められたフック型のスロット（８４）と、ｉｉ）前記フィルタ（１２）が前記ブラケット（１４）とほぼ整列したとき、各々の保持クリップ（５８）と係合しこれを保持するように寸法が決められた受け具（９０）とを含むフィルタ組立体（１０）。
〔態様１１〕
各枢軸がベース（４１）と、拡大されたヘッド（４２）とを含み、前記ヘッド（４２）がリップを画定する下側が先細になった面（４８）を含み、前記フック型のスロット（８４）が対応する先細になった面（８７）を含み、前記ヘッド（４２）の前記先細になった面（４８）が、前記スロット（８４）の先細になった面（８７）に当たって枢動するように寸法が決められる、態様１０に記載のフィルタ組立体（１０）。
〔態様１２〕
各ベース（４１）が、外面が前記ヘッド（４２）の外面（４６）に相互接続されこの面と同一面になる延長部（５０）を含み、前記延長部（５０）が、前記ブラケット（１４）の前記側壁（１６）の間に緊密に収容されるように寸法が決められる、態様１０または１１のいずれかに記載のフィルタ組立体（１０）。
〔態様１３〕
各枢軸（４０）が、前記ベース（４１）から円周方向に延在する位置決め隆起部（５５）を含んでおり、前記位置決め隆起部（５５）が、前記フィルタ（１２）が前記ブラケット（１４）と整列される際、前記筐体（１８）を前記側壁（１６）の間に誘導するように寸法が決められる、態様１０から１２のいずれかに記載のフィルタ組立体（１０）。
〔態様１４〕
各保持クリップ（５８）が、軸方向に延在する可撓性の本体部分（６０）と、前記本体部分（６０）に直交して突出する一体式のタブ部分（６６）とを含んでおり、各タブ部分（６６）が、このタブ部分（６６）の面から半径方向外向きに延出する突起（６８）を含み、各タブ部分（６６）の前記突起（６８）が、前記フィルタ（１２）が前記ブラケット（１４）とほぼ整列される際、前記受け具（９０）と協働して前記フィルタ（１２）を前記ブラケットにロック固定するように構成される、態様１０から１３のいずれかに記載のフィルタ組立体（１０）。
〔態様１５〕
各保持クリップ（５８）から軸方向に離間した半径方向外向きに突出し、前記フィルタ（１２）が前記ブラケット（１４）にロック固定される際、前記各々の保持クリップ（５８）が前記ブラケット（１４）の壁（１６）によって前記筐体（１８）に当たって内側に屈曲されるのを防ぐように寸法が決められた立ち上がり（７２）をさらに含む、態様１４に記載のフィルタ組立体（１０）。
【図１】
0005643299.tif 000002
【図２】
0005643299.tif 000003
【図３】
0005643299.tif 000004
【図４】
0005643299.tif 000005
【図５】
0005643299.tif 000006
【図６】
0005643299.tif 000007